(57)【要約】【課題】昼間で作業灯を点灯させて行う作業においてもモニタパネル装置の表示部が見易くなるようにバックライトを切り替える。【解決手段】作業灯３２の点灯・消灯を切り替えるリレースイッチ２９と、バックライトの明るさを昼間モードと夜間モードとに切り替える切替スイッチと、各スイッチの作動を制御する作業灯スイッチ１４とを備え、作業灯スイッチ１４は、リレースイッチ２９を消灯位置にするとともに、バックライトの切替スイッチを昼間モード位置にする第１ポジションと、リレースイッチ２９を点灯位置にするとともに、バックライトの切替スイッチを夜間モード位置にする第２ポジションと、リレースイッチ２９を点灯位置にするとともに、バックライトの切替スイッチを昼間モード位置にする第３ポジションとに切り替え可能に構成されている。【選択図】図２
2006341722.tif 000002
【特許請求の範囲】
【請求項１】
作業灯を点灯・消灯させる作業灯装置と、表示部を照らすバックライトの輝度を昼間モードと夜間モードに切り替え可能なモニタパネル装置と、前記作業灯装置と前記モニタパネル装置の作動を制御する操作スイッチを備える建設機械において、
前記操作スイッチは、前記作業灯装置を消灯作動させるとともに前記モニタパネル装置を昼間モードとする第１のポジションと、前記作業灯装置を点灯作動させるとともに前記モニタパネル装置を夜間モードとする第２のポジションと、前記作業灯装置を点灯作動させるとともに前記モニタパネル装置を昼間モードとする第３のポジションとに切り替え可能に構成されていることを特徴とする建設機械。
【請求項２】
前記操作スイッチの一端部が電源に接続され、前記操作スイッチの他端部が作業灯回路を介して前記作業灯装置に接続可能に、またパネル回路を介して前記モニタパネル装置に接続可能に構成され、かつ前記作業灯回路と前記パネル回路との間に、前記パネル回路側から前記作業灯回路側への電流の流れを許容するダイオードが設けられる請求項１に記載の建設機械。
【請求項３】
前記操作スイッチの一端部が接地され、前記操作スイッチの他端部が作業灯回路および前記作業灯装置を介して第１の電源に接続可能に、またパネル回路を介して前記モニタパネル装置に接続可能に構成され、前記作業灯回路が第２の電源に接続され、前記パネル回路が第３の電源に接続され、かつ前記作業灯回路と前記パネル回路との間に、前記作業灯回路側から前記パネル回路側への電流の流れを許容するダイオードが設けられる請求項１に記載の建設機械。
【発明の詳細な説明】
【技術分野】
【０００１】
本発明は、作業灯を点灯・消灯させる作業灯装置と、表示部を照らすバックライトの輝度を昼間モードと夜間モードに切り替え可能なモニタパネル装置と、作業灯装置とモニタパネル装置の作動を制御する操作スイッチを備える建設機械に関するものである。
【背景技術】
【０００２】
一般に、油圧ショベル等の建設機械による作業は、昼間だけでなく、夜間においも行われることから、作業機（ブーム）の中央部や、上部旋回体のフレーム前部、キャブの前窓の上部などに作業灯が取り付けられており、太陽光による照明が得られないときにそれら作業灯を点灯することにより作業領域を照明するようにされている。
【０００３】
一方、この種の建設機械においては、運転室内の前部にエンジン状態を始めとする各種情報を表示部に表示するモニタパネル装置が設けられている。そして、このモニタパネル装置の表示部としては、最近、液晶ディスプレイが多く用いられるようになってきている。
【０００４】
この液晶ディスプレイには画面を見易くするためにバックライトが設けられているが、装置周辺の明るさの変化により表示画面が見にくくなるため、例えば昼と夜でバックライトの明るさを調整することによって使用者が表示画面を見易くするようにされている。すなわち、昼間は、明るい外部の背景に重ねて画像を表示する必要があるので、十分な視認性を確保するためにバックライトの輝度を高め（明るめ）にし、夜間は、暗い背景の視認性を損なわないようにバックライトの輝度を低め（暗め）にして使用される。また、この液晶バックライトにおける明るさの変更は、上述の作業灯のスイッチに連動して切り替わるようになっている。
【０００５】
図５には、従来の作業灯および液晶バックライトの切替回路図が示されている。この切替回路５０において、図示されないバッテリからの電流は、第１配線５１を通って作業灯スイッチ５２および作業灯リレー５３の励磁コイル５４に供給されるとともに、作業灯スイッチ５２の後流側にて分岐された分岐配線５５を通ってモニタパネル装置５６内に供給されるようになっている。また、第２配線５７からの電流は、作業灯リレー５３のリレースイッチ５８を通って作業灯５９に供給されるようになっている。
【０００６】
前記モニタパネル装置５６内には、液晶の表示部を照らすバックライトが設けられるとともに、このバックライトの明るさを調整する回路（図示せず）が設けられている。そして、この回路中には、バックライトの明るさを「明」（高輝度）もしくは「暗」（低輝度）に切り替える切替スイッチが設けられている。この切替スイッチは、作業灯スイッチ５２がオフの状態、言い換えれば分岐配線５５から電流が供給されない状態では、バックライトを「明」にし、作業灯スイッチ５２がオンされると、言い換えれば分岐配線５５から電流が供給されると、バックライトを「暗」にするように切り替えられる。
【０００７】
このように構成されているので、油圧ショベル等による作業を昼間に行う場合には、作業灯スイッチ５２はオフ状態にあるので、作業灯５９は点灯されず、またモニタパネル装置５６にも電流が供給されないので、このモニタパネル装置５６のバックライトは「明」の状態にあり、表示部の画像のコントラストがはっきりして、オペレータによる画面の視認性が確保される。
【０００８】
一方、夜間に作業を行う場合には、オペレータが作業灯スイッチ５２をオン操作すると、バッテリからの電流は第１配線５１を通って作業灯リレー５３の励磁コイル５４に流れてその励磁コイル５４が励磁され、リレースイッチ５８が常開接点５８ａ側に接続される。すると、バッテリからの電流は第２配線５７およびリレースイッチ５８を通って作業灯５９に流れるので、常開接点５８ａのオン状態は自己保持され、作業灯５９が点灯する。これと同時に、第１配線５１からの電流は分岐配線５５を通ってモニタパネル装置５６に供給され、このモニタパネル装置５６内の切替スイッチが作動されてバックライトが「暗」に切り替えられる。こうして、暗い背景の視認性を損なうことがなく、オペレータの見易い画面になる。
【０００９】
なお、本願発明に関連する従来技術として、特許文献１に開示されるものがある。この特許文献１に開示された技術は、表示器が表示位置にあって、かつライトスイッチの操作により作業灯回路が通電したときに液晶用バックライトが通電するようにし、それによってバックライトと作業灯を別個にオンオフ操作することによるスイッチ操作のわずらわしさを低減するようにした建設機械用表示装置のスイッチ回路に関わるものである。
【００１０】
【特許文献１】特開平６−８８３６０号公報
【発明の開示】
【発明が解決しようとする課題】
【００１１】
ところで、この種の油圧ショベル等を用いた作業においては、現場の作業者等が不用意に機械に近づくのを防止するという注意喚起のために、昼間であっても作業灯を点灯させて作業を行う場合がある。このような場合に、前記従来のように、昼間もしくは夜間のいずれかでのバックライトの輝度の切り替えのみでは、昼間の作業時にバックライトの輝度が不足して表示部の画像のコントラストがはっきりせず、表示部の表示が見ずらくなるという問題点がある。なお、特許文献１のものでも、作業灯の点灯に連動させてバックライトを点灯させるようにしており、やはり昼間と夜間とでバックライトの切り替えを行っている点で図５に示される従来技術と同種の技術であると言える。
【００１２】
本発明は、このような問題点に鑑みてなされたもので、昼間で作業灯を点灯させて行う作業においてもモニタパネル装置の表示部が見易くなるようにバックライトを切り替えることのできる建設機械を提供することを目的とするものである。
【課題を解決するための手段】
【００１３】
前記目的を達成するために、本発明による建設機械は、
作業灯を点灯・消灯させる作業灯装置と、表示部を照らすバックライトの輝度を昼間モードと夜間モードに切り替え可能なモニタパネル装置と、前記作業灯装置と前記モニタパネル装置の作動を制御する操作スイッチを備える建設機械において、
前記操作スイッチは、前記作業灯装置を消灯作動させるとともに前記モニタパネル装置を昼間モードとする第１のポジションと、前記作業灯装置を点灯作動させるとともに前記モニタパネル装置を夜間モードとする第２のポジションと、前記作業灯装置を点灯作動させるとともに前記モニタパネル装置を昼間モードとする第３のポジションとに切り替え可能に構成されていることを特徴とするものである。
【００１４】
本発明において、前記操作スイッチの一端部が電源に接続され、前記操作スイッチの他端部が作業灯回路を介して前記作業灯装置に接続可能に、またパネル回路を介して前記モニタパネル装置に接続可能に構成され、かつ前記作業灯回路と前記パネル回路との間に、前記パネル回路側から前記作業灯回路側への電流の流れを許容するダイオードが設けられる構成を採用するのが好ましい。
【００１５】
また、前記操作スイッチの一端部が接地され、前記操作スイッチの他端部が作業灯回路および前記作業灯装置を介して第１の電源に接続可能に、またパネル回路を介して前記モニタパネル装置に接続可能に構成され、前記作業灯回路が第２の電源に接続され、前記パネル回路が第３の電源に接続され、かつ前記作業灯回路と前記パネル回路との間に、前記作業灯回路側から前記パネル回路側への電流の流れを許容するダイオードが設けられる構成とすることもできる。
【発明の効果】
【００１６】
本発明によれば、作業灯の点灯・消灯の切り替えおよびバックライトの明るさの切り替えを行う操作スイッチが３つのポジションに切り替え可能に構成され、作業灯装置が点灯作動され、かつバックライトの輝度が昼間モードとなる第３のポジションが用意されているので、昼間に作業灯を点灯して作業を行う場合であっても、バックライトの輝度不足によってモニタパネルの表示部の表示が見ずらくなることがなく、表示部の画像のコントラストがはっきりして、オペレータによる画面の十分な視認性を確保することができる。勿論、夜間での作業においては、操作スイッチを第２のポジションに切り替え操作することで、従来と同様、バックライトの明るさが夜間モードに切り替えられるので、暗い背景の視認性を損なうことがなく、オペレータの見易い画面になる。
【００１７】
本発明において、前記操作スイッチの３つのポジションの切り替えを、作業灯回路とパネル回路とを接続する電路にダイオードを追加するという回路変更にて行うようにすれば、従来の作業灯用の電気回路およびバックライト用の電気回路に若干の改変を加えるだけで所望の機能を実現することができる。
【発明を実施するための最良の形態】
【００１８】
次に、本発明による建設機械の具体的な実施の形態について、図面を参照しつつ説明する。
【００１９】
（第１の実施形態）
図１には、本発明の第１の実施形態に係る油圧ショベルの運転室内の平面図が示され、図２には、本実施形態における作業灯および液晶バックライトの切替回路図が示されている。
【００２０】
本実施形態の油圧ショベルは、その全体構成はそれ自体周知の構造であるので図示省略されているが、下部走行体と、この下部走行体の上部に旋回機構を介して旋回可能に装着される上部旋回体とを備え、上部旋回体に、ブーム、アーム、バケットを備える作業機が連設されるとともに、運転室１等が設けられて構成されている。
【００２１】
運転室１においては、図１に示されるように、中央部に運転席２が設けられ、この運転席２の前方に、走行レバー３，４と、走行ペダル５，６とが設けられている。運転席２の左右には左側コンソール７および右側コンソール８がそれぞれ設けられ、各コンソール７，８の前端部には、オペレータによって手動で傾転操作される左作業機操作レバー９および右作業機操作レバー１０がそれぞれ配されている。また、右側コンソール８の前方には、側方窓に近接してモニタパネル装置１１が取り付けられている。
【００２２】
前記右側コンソール８には、右作業機操作レバー１０の後側に位置して、始動スイッチ１２、燃料ダイヤル１３、作業灯スイッチ１４、旋回ロックスイッチ１５等の各種スイッチが設けられ、左側コンソール７にはラジオ１６等が設けられている。
【００２３】
前記モニタパネル装置１１は、エンジンの冷却水水温、作動油温、燃料量等の油圧ショベルの状態を表示画面（表示部）１７に表示するモニタ機能と、各種スイッチ１８を操作することにより走行部や作業機を制御するための制御信号を入力する入力機能と、コントローラの内部パラメータを設定したり調整したりする制御機能を備えている。このモニタパネル装置１１の表示画面１７は、表示パネル内に液晶層を有する所謂液晶表示画面で、液晶表示部の裏面に配置されるバックライトの光を液晶に透過させて表示を行う透過式表示画面とされている。また、このモニタパネル装置１１には、バックライトの輝度を調整する回路（図示せず）が設けられ、この回路中に、バックライトの明るさを「明」（高輝度）もしくは「暗」（低輝度）に切り替える切替スイッチが設けられている。
【００２４】
次に、図２に示される切替回路図を参照しつつ、本実施形態における作業灯および液晶バックライトの切替制御の具体的態様について説明する。
【００２５】
本実施形態の切替回路２０において、図示されないバッテリからの電流は、第１配線２１からブレーカ２２を通って作業灯スイッチ（操作スイッチ）１４に供給される。この作業灯スイッチ１４は、固定接点と可動接点とを有し、その可動接点が、（１）ニュートラル位置Ｎ、（２）パネル回路２３側の接点Ａに接続される位置、（３）作業灯回路２４側の接点Ｂに接続される位置のうちのいずれかの位置に切り替え可能な３ステートスイッチとされている。また、接点Ａと接点Ｂとを接続する電路２５、言い換えればパネル回路２３と作業灯回路２４とを接続する電路２５が設けられており、この電路２５の途中に、パネル回路２３から作業灯回路２４への電流の流れを許容するダイオード２６が介挿されている。
【００２６】
前記パネル回路２３は、モニタパネル装置１１の表示画面１７を照らすバックライトの輝度調整回路（図示せず）に接続される。この輝度調整回路中には、バックライトの明るさを「明」（高輝度）もしくは「暗」（低輝度）に切り替える切替スイッチ（切替手段）が設けられており、パネル回路２３に電流が供給されると、バックライトが「明」から「暗」に切り替えられる。
【００２７】
一方、前記作業灯回路２４には、作業灯リレー２７の励磁コイル２８が設けられている。また、作業灯リレー２７のリレースイッチ２９には、第２配線３０からブレーカ３１を介して電流が供給され、このリレースイッチ２９の常開接点２９ａが作業灯３２に接続されている。なお、励磁コイル２８、リレースイッチ２９よりなる作業灯リレー２７および作業灯３２等を含めて作業灯装置３３と総称する。
【００２８】
前記作業灯スイッチ１４は、前述のよう右側コンソール８に設けられており、その可動接点がニュートラル位置Ｎにあるときには「通常モード」が選択され、パネル回路２３側の接点Ａに接続されると「夜間モード」が選択され、作業灯回路２４側の接点Ｂに接続されると「昼間モード」が選択される。
【００２９】
オペレータが油圧ショベルの運転室１内に乗り込んで、始動スイッチ１２をオン操作すると、モニタパネル装置１１のバックライトが「明」に点灯される。このとき、作業灯スイッチ１４はニュートラル位置Ｎ（通常モード）にあり、パネル回路２３および作業灯回路２４のいずれにも電流は供給されないので、作業灯装置３３の作業灯３２は消灯している。
【００３０】
油圧ショベルによる作業を夜間に行う場合には、オペレータが作業灯スイッチ１４を夜間モード側（接点Ａ側）に操作すると、バッテリからの電流は第１配線２１から作業灯スイッチ１４、更にはパネル回路２３を通ってモニタパネル装置１１に供給され、このモニタパネル装置１１内の切替スイッチが作動されてバックライトが「暗」に切り替えられる。また同時に、電流はパネル回路２３から電路２５を通って、作業灯回路２４の作業灯リレー２７の励磁コイル２８に流れることによりその励磁コイル２８が励磁され、リレースイッチ２９が常開接点２９ａ側に接続される。すると、バッテリからの電流は第２配線３０およびリレースイッチ２９を通って作業灯３２に流れるので、常開接点２９ａのオン状態は自己保持され、作業灯装置３３の作業灯３２が点灯する。この結果、夜間作業において作業灯３２が点灯されて油圧ショベルの作業領域が照らされるとともに、表示画面１７のバックライトが「暗」に切り替えられるので、暗い背景の視認性を損なうことがなく、表示画面１７がオペレータの見易い画面になる。
【００３１】
一方、オペレータが作業灯スイッチ１４を昼間モード側（接点Ｂ側）に操作すると、バッテリからの電流は第１配線２１から作業灯スイッチ１４、更には作業灯回路２４の作業灯リレー２７の励磁コイル２８に流れることによりその励磁コイル２８が励磁され、リレースイッチ２９が常開接点２９ａ側に接続される。すると、バッテリからの電流は第２配線３０およびリレースイッチ２９を通って作業灯３２に流れるので、常開接点２９ａのオン状態は自己保持され、作業灯装置３３の作業灯３２が点灯する。これに対して、パネル回路２３には電流が流れず、モニタパネル装置１１に電流が供給されないので、このモニタパネル装置１１のバックライトは「明」の状態を維持する。したがって、表示画面１７における画像のコントラストがはっきりして、オペレータの見易い画面になる。
【００３２】
以上のように、本実施形態の油圧ショベルによれば、作業灯スイッチ１４が、通常モード、夜間モードおよび昼間モードの３つのポジションに切り替え可能に構成されており、通常モードにおいては、作業灯がオフでバックライトが「明」、夜間モードにおいては、作業灯がオンでバックライトが「暗」、昼間モードにおいては、作業灯がオンでバックライトが「明」に切り替えられるので、注意喚起のために昼間に作業灯を点灯して作業を行う場合であっても、バックライトの輝度不足によってモニタパネル装置１１の表示画面１７の表示が見ずらくなることがなく、表示画面１７の画像のコントラストがはっきりして、オペレータによる画面の十分な視認性を確保することができる。また、夜間の作業においては、バックライトの明るさが「暗」に切り替えられるので、暗い背景の視認性を損なうことがなく、オペレータの見易い画面になる。
【００３３】
（第２の実施形態）
図３には、本発明の第２の実施形態における作業灯および液晶バックライトの切替回路図が示されている。本実施形態において、第１の実施形態と共通する部分には図に同一符号を付すとともに、その詳細説明を省略し、本実施形態に特有の点についてのみ説明することとする。
【００３４】
本実施形態の切替回路２０Ａにおいては、作業灯スイッチ１４の一端部（固定接点）が接地（Ｅ）され、作業灯スイッチ１４の他端部（可動接点）が（１）ニュートラル位置Ｎ、（２）パネル回路２３側の接点Ａに接続される位置、（３）作業灯回路２４側の接点Ｂに接続される位置のうちのいずれかの位置に切り替え可能とされている。また、接点Ａと接点Ｂとを接続する電路２５、言い換えればパネル回路２３と作業灯回路２４とを接続する電路２５が設けられており、この電路２５の途中に、作業灯回路２４からパネル回路２３への電流の流れを許容するダイオード２６が介挿されている。
【００３５】
前記作業灯回路２４には、作業灯装置３３Ａにおける作業灯リレー２７の励磁コイル２８が設けられ、この励磁コイル２８には第１の電源３４から電流が供給される。また、前記作業灯回路２４は励磁コイル２８の出口側において第２の電源３５に接続され、作業灯スイッチ１４がニュートラル位置Ｎにあるときには励磁コイル２８の入口側と出口側のそれぞれの電位が同じになるように抵抗等にて設定されている。
【００３６】
前記パネル回路２３はモニタパネル装置１１の表示画面１７を照らすバックライトの輝度調整回路に接続されるとともに、第３の電源３６に接続されている。パネル回路２３から輝度調整回路にに電流が供給されると、バックライトが「暗」から「明」に切り替えられる。
【００３７】
以上のような構成において、作業灯スイッチ１４の可動接点がニュートラル位置Ｎにあるときには、励磁コイル２８の入口側と出口側とが同電位にあるので、この励磁コイル２８には電流が流れず、作業灯装置３３Ａの作業灯３２は消灯している。一方、パネル回路２３には第３の電源３６から電流が流れるので、モニタパネル装置１１内の切替スイッチが作動されてバックライトが「明」に切り替えられる。
【００３８】
また、オペレータが作業灯スイッチ１４を夜間モード側（接点Ａ側）に操作すると、第１の電源３４および第２の電源３５からの電流は作業灯回路２４から電路２５および操作スイッチ１４を通って接地（Ｅ）側に流れることにより励磁コイル２８が励磁され、作業灯装置３３Ａの作業灯３２が点灯する。一方、第３の電源３６からの電流も操作スイッチ１４を通って接地（Ｅ）側に流れてモニタパネル装置１１の方へは流れず、このモニタパネル装置１１のバックライトが「暗」に切り替えられる。
【００３９】
一方、オペレータが作業灯スイッチ１４を昼間モード側（接点Ｂ側）に操作すると、第１の電源３４および第２の電源３５からの電流は作業灯回路２４から操作スイッチ１４を通って接地（Ｅ）側に流れることにより励磁コイル２８が励磁され、作業灯装置３３Ａの作業灯３２が点灯する。一方、第３の電源３６からの電流はモニタパネル装置１１に流れてそのモニタパネル装置１１内の切替スイッチが作動され、バックライトが「明」に切り替えられる。
【００４０】
（第３の実施形態）
前記第１の実施形態においては、通常モード、夜間モードおよび昼間モードの３つのモードを得るのに、パネル回路２３から作業灯回路２４への電流の流れを許容するダイオード２６を介挿したものについて説明したが、このようなダイオード２６に代えて、図４に示されるような第２の作業灯回路２４Ａのリレー回路を用いても同様の作用効果を得ることができる。
【００４１】
図４に示される切替回路４０において、作業灯スイッチ１４が夜間モード側（接点Ａ側）に操作されると、バッテリからの電流は第１配線２１から作業灯スイッチ１４、更にはパネル回路２３を通ってモニタパネル装置１１に供給され、このモニタパネル装置１１内の切替スイッチが作動されてバックライトが「暗」に切り替えられる。これと同時に、電流は接点Ａから第２の作業灯回路２４Ａの作業灯リレー２７Ａの励磁コイル２８Ａに流れることによりその励磁コイル２８Ａが励磁され、リレースイッチ２９Ａが常開接点２９Ａａ側に接続される。すると、バッテリからの電流は第２配線３０およびリレースイッチ２９Ａを通って作業灯３２に流れるので、常開接点２９Ａａのオン状態は自己保持され、作業灯装置３３の作業灯３２が点灯する。この結果、夜間作業において作業灯３２が点灯されて作業領域が照らされるとともに、表示画面１７のバックライトが「暗」に切り替えられる。なお、通常モードおよび昼間モードについては第１の実施形態と同様であるので、図に同一符号を付すに留めてその詳細な説明を省略することとする。
【００４２】
前記各実施形態においては、バックライトの光を液晶に透過させて表示を行う透過式表示の場合について説明したが、本発明は、外部からの光を液晶の裏面で反射させることにより表示を行う反射式表示のものに対しても適用することができる。なお、前記実施形態の表示方式の場合には、バックライトの輝度を昼間は「明」に、夜間は「暗」に切り替えるようにしているが、液晶の表示方式によっては昼間は「暗」に、夜間は「明」に切り替えるのが好ましいタイプのものもあるので、表示方式に応じて、昼間モードおよび夜間モードにおけるバックライトの輝度を設定するのが好ましい。
【００４３】
前記各実施形態では、右側コンソール８に作業灯スイッチ１４を設けたものを説明したが、この作業灯スイッチ１４はモニタパネル装置１１に設けることもできる。
【００４４】
前記各実施形態では、作業灯３２に電流を供給する電源と、励磁コイル２８に電流を供給する電源とを別に設けたものを説明したが、これらを共通の電源とすることもできる。
【００４５】
前記実施形態では、油圧ショベルに適用したものを説明したが、本発明は、ブルドーザやショベルローダといった他の建設機械に対しても同様に適用することができる。
【図面の簡単な説明】
【００４６】
【図１】本発明の第１の実施形態に係る油圧ショベルの運転室内の平面図
【図２】第１の実施形態における作業灯および液晶バックライトの切替回路図
【図３】本発明の第２の実施形態おける作業灯および液晶バックライトの切替回路図
【図４】本発明の第３の実施形態おける作業灯および液晶バックライトの切替回路図
【図５】従来の作業灯および液晶バックライトの切替回路図
【符号の説明】
【００４７】
１                  運転室
７，８              コンソール
１１                モニタパネル装置
１４                作業灯スイッチ（操作スイッチ）
１７                表示画面
２０，２０Ａ，４０  切替回路
２１                第１配線
２３                パネル回路
２，２４Ａ          作業灯回路
２５                電路
２６                ダイオード
２７，２７Ａ        作業灯リレー
２８，２８Ａ        励磁コイル
２９，２９Ａ        リレースイッチ
３０                第２配線
３２                作業灯
３３，３３Ａ        作業灯装置
３４，３５，３６    電源
【図１】
2006341722.tif 000003
【図２】
2006341722.tif 000004
【図３】
2006341722.tif 000005
【図４】
2006341722.tif 000006
【図５】
2006341722.tif 000007